(57)【特許請求の範囲】
【請求項１】
第一緩衝液槽、
第一緩衝液槽の上方に配置された第二緩衝液槽、
分離媒体が収納され、第一緩衝液槽内に開口する第一開口及び第二緩衝液槽内に開口する第二開口を有し、略垂直方向に起立している分離部、
第一開口に対向する位置に配置された転写膜を保持するアーム部、並びに
第一緩衝液槽下に設けられ、該アーム部を略水平方向に駆動する駆動部を備え、
該アーム部は、該駆動部につながっており、該駆動部につながっている位置から、第一緩衝液槽の側壁の外側を通り、該側壁の上端を回り込んで、該側壁の内側につながっていることを特徴とする生体分子分析装置。
【請求項２】
上記転写膜は、上記アーム部の駆動による移動方向前方の第一端部及び該移動方向後方の第二端部を有し、
上記アーム部は、第一端部を固定する第一固定部、第二端部を固定する第二固定部、及び第一固定部と第二固定部とを互いに背向する方向に付勢する弾性体を備えていることを特徴とする請求項１に記載の生体分子分析装置。
【請求項３】
第一緩衝液槽の底部には、上記転写膜を、当該転写膜における上記分離部とは反対側から支持する支持部材が設けられており、
上記転写膜は、上記分離部によって、上記分離部とは反対側が凸になるように折り曲げられていることを特徴とする請求項２に記載の生体分子分析装置。
【請求項４】
上記支持部材は、上記底部において第一開口に対向する位置を対になって挟む位置に夫々形成されていることを特徴とする請求項３に記載の生体分子分析装置。
【請求項５】
上記転写膜は、上記アーム部の駆動による移動方向前方の第一端部及び該移動方向後方の第二端部を有し、
上記アーム部は、第一端部を固定する第一固定部、第二端部を固定する第二固定部及び第一固定部と第二固定部とを所定距離離間して連結する連結部を備えていることを特徴とする請求項１に記載の生体分子分析装置。
【請求項６】
上記連結部は、上記転写膜を上記移動方向側方から挟む位置に配置されていることを特徴とする請求項５に記載の生体分子分析装置。
【請求項７】
第一緩衝液槽の底部には、上記転写膜を、当該転写膜における上記分離部とは反対側から支持する支持部材が設けられており、
上記転写膜は、上記分離部によって、上記分離部とは反対側が凸になるように折り曲げられていることを特徴とする請求項１、５および６の何れか一項に記載の生体分子分析装置。
【請求項８】
上記支持部材は、上記底部において第一開口に対向する位置を対になって挟む位置に夫々形成されていることを特徴とする請求項７に記載の生体分子分析装置。
【請求項９】
上記転写膜における上記支持部材に接する位置から第一開口に接する位置までの傾斜角が、水平面に対して下方向に１°以上６０°以下であることを特徴とする請求項８に記載の生体分子分析装置。
【請求項１０】
上記アーム部における上記側壁の上端を回り込む部位は、上記駆動部から着脱可能になっており、
第一緩衝液槽が上記生体分子分析装置から着脱可能になっていることを特徴とする請求項１〜９の何れか一項に記載の生体分子分析装置。
【請求項１１】
上記アーム部は、
上記側壁の外側を、当該側壁の上端に並ぶ位置まで延伸している第一部位と、
第一部位に嵌合し、上記側壁の上端を跨いで当該側壁の内側に延伸している第二部位とを有していることを特徴とする請求項１０に記載の生体分子分析装置。
【請求項１２】
第一緩衝液槽、第二緩衝液槽及び分離部が透明であることを特徴とする請求項１〜１１の何れか一項に記載の生体分子分析装置。
【請求項１３】
第一緩衝液槽には第一電極が配置され、
第二緩衝液槽には第二電極が配置され、
上記転写膜は、第一開口及び第一電極に挿まれるように配置されることを特徴とする請求項１〜１２の何れか一項に記載の生体分子分析装置。
【請求項１４】
上記分離部は、第二緩衝液槽に対して着脱可能に取り付けられており、
第二緩衝液槽は、第一緩衝液槽に対して着脱可能に取り付けられていることを特徴とする請求項１〜１３の何れか一項に記載の生体分子分析装置。
【発明の詳細な説明】
【技術分野】
【０００１】
本発明は、生体分子を分析する装置に関するものであり、詳細には、電気泳動により分離した生体分子を転写膜に転写する装置に関するものである。
【背景技術】
【０００２】
特許文献１、２には、ＤＮＡやタンパク質等の生体分子をゲル中で電気泳動し、ゲル端面から直接転写膜に転写する装置（以降、このような装置を、「排出転写方式の電気泳動−転写装置」と称することもある）が記載されている。
【０００３】
特許文献１、２に記載の装置は、水平方向に配置されたゲル、当該ゲルを収納するゲルフレーム、当該ゲルの両端に夫々つながっている陰極バッファー槽および陽極バッファー槽、当該ゲルの一端に対向する転写膜、当該転写膜を固定する矩形の転写膜フレーム、ならびに、転写膜フレームを垂直方向に搬送する垂直搬送機構を備えている水平型装置である。当該水平型装置は、ゲルにおいて電気泳動を行いつつ、垂直搬送機構によって転写膜を引き上げることによって、ゲルにおいて分離したＤＮＡ等を転写膜に転写する。
【先行技術文献】
【特許文献】
【０００４】
【特許文献１】米国特許第５２３４５５９号明細書（登録日：１９９３年８月１０日）
【特許文献２】米国特許第５９１６４２９号明細書（登録日：１９９９年６月２９日）
【発明の概要】
【発明が解決しようとする課題】
【０００５】
しかしながら、従来技術に係る水平型装置では、ゲルフレームは水平方向に設けられ、転写膜は垂直方向に引き上げられる（このような構成を、本明細書において、「水平型」とも称する）。上記水平型装置では、ゲルフレームの上面は外気と接し、ゲルフレームの下面は装置の構造物と接しているため、ゲルフレームの冷却が不十分となり、電気泳動時にゲルが発熱する場合がある。ゲルが発熱すると、電気泳動パターンが歪む、分解能が低下する、分離したＤＮＡ等が転写膜に転写されない等の不具合が生じるおそれがある。また、転写膜は、一般的に薄いプラスチックフィルムであり、伸縮性がある。そのため、矩形の転写膜フレームに固定された膜は、中央が周縁部よりも伸び易く、縁に近づくほど張力が強く掛かった状態となる。そのため中央付近は転写パターンが歪んでしまうおそれがある。
【０００６】
そこで、本発明者らは、独自の発想に基づき、独自の構成を有する垂直型装置について検討した。当該垂直型装置では、ゲル等の分離媒体を収納する分離部が略垂直方向に起立している（このような構成を、本明細書において、「垂直型」とも称する）。上記垂直型装置では、分離部の上部は陰極バッファーと接し、分離部の下部は陽極バッファーと接するため、分離部を水冷によって十分に冷却することができる。また、転写膜は、矩形の転写膜フレームに固定せずに搬送することができる。
【０００７】
但し、上記垂直型装置では、転写膜を、陽極バッファー槽内で略水平方向に移動させる必要がある。ここで、従来技術に係る水平型装置のように、転写膜搬送機構を、転写膜の上流に配置しようとした場合、陽極バッファー槽から飛散した緩衝液が当該転写膜搬送機構の耐用性を低下させるおそれ、及び、当該転写膜搬送機構が上記垂直型装置に対する各種操作の妨げになるおそれがある。
【０００８】
本発明は、上記課題に鑑みてなされたものであり、好適な転写膜搬送機構を備えた垂直型の排出転写方式の電気泳動−転写装置を提供することを主たる目的とする。
【課題を解決するための手段】
【０００９】
本発明の一態様に係る生体分子分析装置は、上記課題を解決するために、第一緩衝液槽、第一緩衝液槽の上方に配置された第二緩衝液槽、分離媒体が収納され、第一緩衝液槽内に開口する第一開口及び第二緩衝液槽内に開口する第二開口を有し、略垂直方向に起立している分離部、第一開口に対向する位置に配置された転写膜を保持するアーム部、並びに第一緩衝液槽下に設けられ、該アーム部を略水平方向に駆動する駆動部を備え、該アーム部は、第一緩衝液槽の側壁の外側を通り、該側壁の上端を回り込んで、該側壁の内側につながっている。
【００１０】
上記の構成によれば、分離部が略垂直に起立する構成とすることで、分離部が第一又は第二緩衝液槽内の緩衝液に浸漬され、分離媒体を水冷することができる。但し、生体分子分析装置をこのように構成した場合、転写膜を第一緩衝液槽内において移動させる必要がある。
【００１１】
ここで、上記の構成によれば、駆動部を第一緩衝液槽下に設け、かつ、アーム部の形状を、第一緩衝液槽の側壁の外側を通り、当該側壁の上端を回り込んで、当該側壁の内側につながっている形状とすることによって、緩衝液による駆動部の耐用性の低下及び駆動部による各種操作の妨害を避けつつ、転写膜を第一緩衝液槽内において首尾よく移動させることができる。これにより、好適な転写膜搬送機構を備えた垂直型の排出転写方式の電気泳動−転写装置を提供することができる。
【００１２】
本発明の一態様に係る生体分子分析装置では、上記転写膜は、上記アーム部の駆動による移動方向前方の第一端部及び該移動方向後方の第二端部を有し、上記アーム部は、第一端部を固定する第一固定部、第二端部を固定する第二固定部、及び第一固定部と第二固定部とを互いに背向する方向に付勢する弾性体を備えていてもよい。
【００１３】
転写膜が緩んだ状態であると、転写膜を移動させたときに、転写膜と第一開口との隙間が大きくなって、転写結果がぼやける場合がある。
【００１４】
上記の構成によれば、弾性体によって、転写膜の移動方向両端部を固定する第一および第二固定部が互いに背向する方向に付勢されるため、転写膜に対して一定の張力を付与することができる。これによって、転写膜を張った状態にすることができ、良好な転写結果を得ることができる。
【００１５】
本発明の一態様に係る生体分子分析装置では、第一緩衝液槽の底部には、当該転写膜を、当該転写膜における上記分離部とは反対側から支持する支持部材が設けられており、上記転写膜は、上記分離部によって、上記分離部とは反対側が凸になるように折り曲げられていてもよい。
【００１６】
上記の構成によれば、支持部材によって転写膜が支持され、分離部がそれを押さえて、下に（分離部とは反対側に）凸になるように折り曲げられる。これによって、転写膜に張力が掛かり、転写膜を第一開口に密着させることができる。特に、転写膜は上記弾性体によって張った状態に維持されているため、転写膜を第一開口に好適に押しつけることができる。これにより分離媒体から転写膜への転写をより好適に行うことができる。
【００１７】
本発明の一態様に係る生体分子分析装置では、上記支持部材は、上記底部において第一開口に対向する位置を対になって挟む位置に夫々形成されていてもよい。
【００１８】
上記の構成によれば、分離部の両側に配置された支持部材によって転写膜が支持され、分離部がそれを押さえて、下に（分離部とは反対側に）凸になるように折り曲げられる。これによって、転写膜により均一に張力が掛かり、転写膜を第一開口により均一に密着させることができる。これにより分離媒体から転写膜への転写をより好適に行うことができる。
【００１９】
本発明の一態様に係る生体分子分析装置では、上記転写膜は、上記アーム部の駆動による移動方向前方の第一端部及び該移動方向後方の第二端部を有し、上記アーム部は、第一端部を固定する第一固定部、第二端部を固定する第二固定部及び第一固定部と第二固定部とを所定距離離間して連結する連結部を備えていてもよい。
【００２０】
上記の構成によれば、転写膜の第一及び第二端部を、所定距離離間して連結された第一及び第二固定部によって夫々固定することにより。転写膜を、その移動方向に沿って緩み無く張ることができる。これにより、転写結果が転写膜の緩みによりぶれることを抑制し、測定感度を向上させることができる。
【００２１】
本発明の一態様に係る生体分子分析装置では、上記連結部は、上記転写膜を上記移動方向側方から挟む位置に配置されていてもよい。
【００２２】
上記の構成によれば、転写膜の表面（第一開口と対向する面）及び裏面（第一開口とは反対側の面）に連結部が重なることを避けることができる。これによって、分離媒体から転写膜への転写や、転写膜の裏面へ他部材の当接等が連結部によって阻害されることを防ぐことができる。
【００２３】
本発明の一態様に係る生体分子分析装置では、第一緩衝液槽の底部には、当該転写膜を、当該転写膜における上記分離部とは反対側から支持する支持部材が設けられており、上記転写膜は、上記分離部によって、上記分離部とは反対側が凸になるように折り曲げられていてもよい。
【００２４】
上記の構成によれば、支持部材によって転写膜が支持され、分離部がそれを押さえて、下に（分離部とは反対側に）凸になるように折り曲げられる。これによって、転写膜に張力が掛かり、転写膜を第一開口に密着させることができる。これにより分離媒体から転写膜への転写をより好適に行うことができる。
【００２５】
本発明の一態様に係る生体分子分析装置では、上記支持部材は、上記底部において第一開口に対向する位置を対になって挟む位置に夫々形成されていてもよい。
【００２６】
上記の構成によれば、分離部の両側に配置された支持部材によって転写膜が支持され、分離部がそれを押さえて、下に（分離部とは反対側に）凸になるように折り曲げられる。これによって、転写膜により均一に張力が掛かり、転写膜を第一開口により均一に密着させることができる。これにより分離媒体から転写膜への転写をより好適に行うことができる。
【００２７】
本発明の一態様に係る生体分子分析装置では、上記転写膜における上記支持部材に接する位置から第一開口に接する位置までの傾斜角が、水平面に対して下方向に１°以上６０°以下であってもよい。
【００２８】
上記の構成によれば、転写膜に掛かる張力を適切に調整して、分離媒体から転写膜への転写をより好適に行うことができる。
【００２９】
本発明の一態様に係る生体分子分析装置では、上記アーム部における上記側壁の上端を回り込む部位は、上記駆動部から着脱可能になっており、第一緩衝液槽が上記生体分子分析装置から着脱可能になっていてもよい。
【００３０】
上記の構成によれば、第一緩衝液槽を取り外しできることにより、駆動部に洗浄液等を付着させることなく、容易に第一緩衝液槽を洗浄することができる。また、第一緩衝液槽を取り外す際に、アーム部における第一緩衝液槽の側壁の上端を回り込んで当該側壁の内側につながっている部位を、駆動部から分離することができるため、第一緩衝液槽を容易に取り外すことができる。
【００３１】
本発明の一態様に係る生体分子分析装置では、上記アーム部は、上記駆動部につながっており、上記側壁の外側を、当該側壁の上端に並ぶ位置まで延伸している第一部位と、第一部位に嵌合し、上記側壁の上端を跨いで当該側壁の内側に延伸している第二部位とを有していてもよい。
【００３２】
上記の構成によれば、第二部位は、駆動部に対して容易に着脱することができる。第一部位は、第一緩衝液槽の側壁の外側に配置されており、第一緩衝液槽の取り外しや電極のセット等の各種操作の邪魔になることはない。そのため、第二部位を適宜外すことにより、各種操作を首尾よく行うことができる。
【００３３】
本発明の一態様に係る生体分子分析装置では、第一緩衝液槽、第二緩衝液槽及び分離部が透明であってもよい。
【００３４】
上記の構成によれば、装置の動作中において、分離媒体及び転写膜の様子を観察することができる。これにより、例えば、可視マーカーの移動を肉眼により確認することができる。
【００３５】
本発明の一態様に係る生体分子分析装置では、第一緩衝液槽には第一電極が配置され、第二緩衝液槽には第二電極が配置され、上記転写膜は、第一開口及び第一電極に挿まれるように配置されてもよい。
【００３６】
上記構成によれば、分離媒体に対し、第一緩衝液槽内に開口する第一開口と第二緩衝液槽内に開口する第二開口との間に電圧を印加することができるので、生体分子の電気泳動を首尾よく行うことができる。また、第一開口と第一電極との間に転写膜が挿まれるため、第一開口から転写膜への分離された生体分子の転写を首尾よく行うことができる。
【００３７】
本発明の一態様に係る生体分子分析装置では、上記分離部は、第二緩衝液槽に対して着脱可能に取り付けられており、第二緩衝液槽は、第一緩衝液槽に対して着脱可能に取り付けられていてもよい。
【００３８】
上記構成によれば、分離部及び第二緩衝液槽を取り外すことができるため、駆動部に洗浄液等を付着させることなく、容易に分離部及び第二緩衝液槽を洗浄することができる。
【発明の効果】
【００３９】
本発明によれば、好適な転写膜搬送機構を備えた垂直型の排出転写方式の電気泳動−転写装置を提供することができる。
【図面の簡単な説明】
【００４０】
【図１】本発明の一実施形態に係る生体分子分析装置の概略構成を示す斜視図である。
【図２】本発明の一実施形態に係る生体分子分析装置の概略構成を示す断面図である。
【図３】本発明の一実施形態におけるアジャスターの概略構成を示す斜視図である。
【図４】本発明の一実施形態におけるサンプルの電気泳動及び転写を説明するための断面図である。
【図５】本発明の一実施形態に係る生体分子分析装置の各部材の取り外しの様子を示す斜視図である。
【図６】本発明の一実施形態に係る生体分子分析装置の各部材の取り外しの様子を示す斜視図である。
【図７】本発明の一実施形態に係る生体分子分析装置の各部材の取り外しの様子を示す斜視図である。
【図８】本発明の一実施形態に係る生体分子分析装置の各部材の取り外しの様子を示す斜視図である。
【図９】本発明の一実施形態に係る生体分子分析装置の概略構成を示す斜視図である。
【図１０】本発明の一実施形態におけるアジャスターの概略構成を示す断面図である。
【発明を実施するための形態】
【００４１】
〔実施形態１〕
本発明の一実施形態について、図面に基づいて説明すれば以下のとおりである。
【００４２】
まず、本実施形態に係る生体分子分析装置１００の概略的な構成について、図１及び図２を参照して説明する。図１は、生体分子分析装置１００の構成を概略的に示す斜視図である。図２は、生体分子分析装置１００の構成を概略的に示す側方断面図である。
【００４３】
図１及び図２に示すように、生体分子分析装置１００は、垂直型の排出転写方式の電気泳動−転写装置であり、クランプ（アーム部、第一固定部）２０、クランプ（アーム部、第二固定部）２１、クランプフレーム（アーム部、連結部）２２、キャリア（アーム部、側壁の上端を回り込む部位、第二部位）２３、陽極バッファー槽（第一緩衝液槽）３０、テーブル３１、陰極バッファー槽（第二緩衝液槽）４０、分離部５０、モータ（駆動部）６２、ボールネジ（駆動部）６３、ガイドシャフト（駆動部）６４、シャフトホルダ（駆動部）６５、ガイドポール（アーム部、第一部位）６６、並びに制御部６８を備えている。また、説明のために図示していないが、安全のため、動作時に全体を覆う蓋をさらに備えている。
【００４４】
ここで、分離部５０は、分離ゲル（分離媒体）５２を収納しており、陽極バッファー槽３０内に開口する第一開口５０ａ及び陰極バッファー槽４０内に開口する第二開口５０ｂを有している。また、陽極バッファー槽３０内には、転写膜１が第一開口５０ａに対向するように配置されている。また、陽極バッファー槽３０内には陽極（第一電極）３２が配置されており、陰極バッファー槽４０内には陰極（第二電極）４１が配置されている。
【００４５】
このため、生体分子分析装置１００では、陰極バッファー槽４０及び陽極バッファー槽３０に緩衝液を満たすことによって、陰極バッファー槽４０内の陰極４１と陽極バッファー槽３０内の陽極３２とが、２つの槽における緩衝液、分離ゲル５２、及び転写膜１を介して電気的に接続される。すなわち、生体分子分析装置１００は、陰極４１と陽極３２との間に電圧を印加することによって、第二開口５０ｂから導入されたサンプルを分離ゲル５２によって分離し、分離された各成分を第一開口５０ａから排出させて転写膜１に吸着させる装置である。
【００４６】
以下に、主要な各部材について図１及び図２を参照して詳細に説明する。
【００４７】
（陽極及び陰極）
陽極３２は陽極バッファー槽３０内に配置されており、陰極４１は陰極バッファー槽４０内に配置されている。陽極３２及び陰極４１は、金属などの導電性を有する材料から形成される。陽極３２及び陰極４１を形成する材料としては、例えば電極のイオン化を抑制する観点から白金が好ましい。
【００４８】
これらの電極配置に関しては、陽極３２は陽極バッファー槽３０内に配置されており、陰極４１は陰極バッファー槽４０内に配置されていればよく、特に限定されないが、例えば、陰極４１、第一開口５０ａ、及び陽極３２が、略一直線上に配置されていてもよい。このような配置において図１に示すように転写膜１が配置されれば、第一開口５０ａを通る電気力線は転写膜１に対して略垂直になるため、サンプルの吸着の精度を向上し得る。
【００４９】
また、陽極３２は、転写膜１から離して配置することが好ましい。これによって、陽極３２から発生する気泡が、転写膜１に対する分離成分の吸着に悪影響を及ぼすことを抑制することができる。
【００５０】
陽極３２及び陰極４１は、例えば、制御部６８に接続して使用してもよいし、外部のパワーサプライ（直流電源装置）に接続して使用してもよい。外部のパワーサプライに接続して使用する場合、当該パワーサプライに時間、電流及び電圧をセットした後、パワーサプライの動作開始と同時に、制御部６８を操作して生体分子分析装置１００を動作開始させればよい。
【００５１】
（陽極バッファー槽及び陰極バッファー槽）
陽極バッファー槽３０及び陰極バッファー槽４０は、緩衝液（バッファー）を滞留させる絶縁性の容器である。陰極バッファー槽４０は、陽極バッファー槽３０に対して上方に設けられている。なお、本実施形態では、陽極バッファー槽３０はテーブル３１上に固定されており、陰極バッファー槽４０は陽極バッファー槽３０に固定されているが、本発明はこの構成には限定されない。
【００５２】
陽極バッファー槽３０及び陰極バッファー槽４０に入れる緩衝液は、導電性を有するあらゆる緩衝液であり得、特に、弱酸性〜弱塩基性に緩衝域を有する緩衝液を好適に用いることができる。そのような緩衝液としては、例えば、Ｔｒｉｓ／グリシン系緩衝液、酢酸緩衝溶液、炭酸ナトリウム系緩衝液、ＣＡＰＳ緩衝液、Ｔｒｉｓ／ホウ酸／ＥＤＴＡ緩衝液、Ｔｒｉｓ／酢酸／ＥＤＴＡ緩衝液、ＭＯＰＳ、リン酸緩衝液、Ｔｒｉｓ／トリシン系緩衝液等の緩衝液を用いることができる。
【００５３】
また、詳細は後述するが、陽極バッファー槽３０の底部には、転写膜１の移動経路中において、転写膜１を、転写膜１の裏面（分離部５０とは反対側の面）から支持するガイド（支持部材）３３・３４が設けられている。
【００５４】
（分離部）
分離部５０は、その内部に分離ゲル（分離媒体）５２を収納している。本実施形態において、分離部５０は、略垂直方向に起立しており、その下部は陽極バッファー槽３０内に配置され、その上部は片面が陰極バッファー槽４０に接するように配置されている。これにより、分離ゲル５２は、陽極バッファー槽３０内の緩衝液および陰極バッファー槽４０内の緩衝液の少なくとも一方によって水冷され、十分に冷却することができる。
【００５５】
また、分離部５０は、陽極バッファー槽３０内に開口する第一開口５０ａ及び陰極バッファー槽４０内に開口する第二開口５０ｂを有する。これにより、分離ゲル５２は、第一開口５０ａを介して陽極バッファー槽３０内に面し、第二開口５０ｂを介して陰極バッファー槽４０内に面するようになっている。なお、本実施形態では、分離部５０は、陰極バッファー槽４０に設けられたロック４２によって、陰極バッファー槽４０に固定されているが、本発明はこの構成には限定されない。
【００５６】
分離部５０は、ガラス又はアクリルなどの絶縁体から形成された２枚の絶縁板５１・５３から構成され得る。一実施形態において、分離部５０は、第二開口５０ｂにおいて絶縁板５３の一部が欠けることによって、分離ゲル５２を露出させており、これによって、分離ゲル５２に対してサンプルを容易に導入することができる。
【００５７】
分離ゲル５２は、第二開口５０ｂから導入されたサンプル成分を分子量にしたがって分離するためのゲルである。分離ゲル５２は、分離部５０の生体分子分析装置１００に対する取り付け前、又は取り付けた後に、分離部５０内に充填され得る。また、分離ゲル５２が充填された市販のページチップを分離部５０として用いてもよい。分離ゲル５２の例としては、アクリルアミドゲル及びアガロースゲルなどが挙げられる。分離ゲル５２の横幅は、例えば、１０〜１２レーンのサンプルを分離することが可能な長さとすることができる。
【００５８】
なお、本実施形態においては、分離部５０内に分離ゲル５２を充填する構成を採用しているが、絶縁板５１と絶縁板５３との間にナノピラーと呼ばれる多数の超微細柱を設ける構成も採用し得る。
【００５９】
また、分離部５０の第一開口５０ａは、その周囲を含めて、導電性の多孔質材料（例えば、親水性ＰＶＤＦ（Polyvinylidene difluoride）膜、親水性ＰＴＦＥ（Polytetra fluoro ethylene）膜等）によって形成された被覆部によって覆われていてもよい。これによって、第一開口５０ａに転写膜１が接するあるいは押付けられている場合（第一開口５０ａと転写膜１の間に距離を設けない場合）において、転写膜１が搬送される時に転写膜１が分離部５０及び分離ゲル５２から受ける摩擦抵抗及び損傷を低減することができる。
【００６０】
なお、分離部５０が、略垂直方向に起立していることにより、分離部５０が、略水平方向に設置されている構成に比べて、サンプル導入量を増大させることができる。なぜなら、水平型の電気泳動装置では、分離ゲルに設けるウェルの深さを変えることが困難であるが、垂直型の電気泳動装置では、ウェルの深さを容易に変えることができるため、サンプル導入量を容易に増大させることができるからである。
【００６１】
（転写膜１）
転写膜１は、分離ゲル５２によって分離されたサンプルを長期間にわたって安定に保存可能にし、さらに、その後の分析を容易にするサンプルの吸着・保持体であることが好ましい。転写膜１の材質としては、高い強度を有し、かつサンプル結合能（単位面積当たりに吸着可能な重量）が高いものが好ましい。転写膜１としては、サンプルがタンパク質である場合にはＰＶＤＦ膜などが適している。なお、ＰＶＤＦ膜は予めメタノールなどを用いて親水化処理を行っておくことが好ましい。これ以外には、ニトロセルロース膜又はナイロン膜など、従来からタンパク質、ＤＮＡ及び核酸の吸着に利用されている膜も使用可能である。
【００６２】
なお、生体分子分析装置１００において分離及び吸着され得るサンプルとしては、これらに限定されないが、生物材料（例えば、生物個体、体液、細胞株、組織培養物、もしくは組織断片）からの調製物、又は、市販の試薬などが挙げられる。例えば、ポリペプチド又はポリヌクレオチドが挙げられる。
【００６３】
転写膜１は、陽極バッファー槽３０内において緩衝液に浸漬された状態で使用される。
【００６４】
本実施形態において、転写膜１は、１回の電気泳動・転写に使用される長さ、換言すれば、１回の電気泳動・転写において陽極バッファー槽３０内を移動する距離の長さを有していればよい。転写膜１をこのように構成することにより、１回の電気泳動・転写毎に、転写膜１を切断する操作が不要となり、生体分子分析装置１００の使用性を向上させることができる。また、転写膜１の横幅は、分離ゲル５２の横幅に対応する長さとすればよい。
【００６５】
（アーム部）
本実施形態において、転写膜１は、その移動、及び、第一開口５０ａとの相対位置の維持のために、アーム部によって保持された状態で使用される。本実施形態において、アーム部は、連結された一連の部材であるクランプ２０・２１、クランプフレーム２２、キャリア２３及びガイドポール６６から構成される。このうち、クランプ２０・２１及びクランプフレーム２２から構成される構造体をアジャスターと称することもある。アジャスターは、陽極バッファー槽３０の側壁の内側に配置されている。また、
図３は、アジャスターの概略構造を示す斜視図である。図３に示すように、クランプ２０は、下部２０ａ及び上部２０ｂから構成されており、クランプ２１は、下部２１ａ及び上部２１ｂから構成されている。
【００６６】
図３の（ｂ）に示すように、下部２０ａと上部２０ｂとの間、及び、下部２１ａと上部２１ｂとの間は、夫々開くようになっている。この状態で、下部２０ａと上部２０ｂとの間に転写膜１の移動方向前方の端部（第一端部）を挟み、下部２１ａと上部２１ｂとの間に転写膜１の移動方向後方の端部（第二端部）を挟んだ後、図３の（ａ）に示すように、下部２０ａと上部２０ｂとの間、及び、下部２１ａと上部２１ｂとの間を、夫々閉じることにより、クランプ２０によって転写膜１の移動方向前方の端部を固定し、クランプ２１によって転写膜１の移動方向後方の端部を固定することができる。これによって、アーム部が、転写膜１を保持することができる。なお、クランプ２０・２１は、閉じた状態で固定するためのロックを備えていてもよい。
【００６７】
クランプフレーム２２は、クランプ２０・２１を連結する軸部材であり、クランプ２０・２１を所定距離離間して連結している。これにより、クランプ２０・２１によって転写膜１の両端部を固定したときに、転写膜１を、その移動方向に沿って緩み無く張ることができる。これにより、転写結果が転写膜１の緩みによりぶれることを抑制し、測定感度を向上させることができる。また、クランプ２０の移動に伴って搬送される転写膜１に加えられる張力を一定にすることができる。従って、転写膜１に対してサンプルをムラなくより好適に転写することができる。但し、クランプ２１及びクランプフレーム２２を省略する構成であってもよい。
【００６８】
クランプフレーム２２は、転写膜１を移動方向側方から挟む位置に配置されており、これによって、転写膜１の表面（第一開口５０ａと対向する面）及び裏面（第一開口５０ａとは反対側の面）にクランプフレーム２２が重なることを避けることができる。これによって、分離ゲル５２から転写膜１への転写や、転写膜１の裏面へ他部材の当接等（詳細については後述する）がクランプフレーム２２によって阻害されることを防ぐことができる。
【００６９】
ガイドポール６６は、後述する駆動部（シャフトホルダ６５）に連結し、陽極バッファー槽３０の側壁の外側を通るように配置されている軸部材である。キャリア２３は、ガイドポール６６に連結し、陽極バッファー槽３０の側壁の上端を回り込んで、クランプ２０に連結している部材である。
【００７０】
以上のように、アーム部は、駆動部に連結している位置から、陽極バッファー槽３０の側壁の外側を通り、該側壁の上端を回り込んで、該側壁の内側につながっている。
【００７１】
なお、本発明を限定するものではないが、本実施形態では、ガイドポール６６は、陽極バッファー槽３０の側壁の外側を、当該側壁の上端に並ぶ位置まで延伸している。そして、キャリア２３は、ガイドポール６６に嵌合し、陽極バッファー槽３０の側壁の上端を跨いで当該側壁の内側に延伸している。
【００７２】
このように構成することにより、キャリア２３は、駆動部に対して容易に着脱することができる。ガイドポール６６は、陽極バッファー槽３０の側壁の外側に配置されており、必要に応じて行われる、陽極バッファー槽３０の取り外し（詳細は実施形態２において説明する）や電極のセット等の各種操作の邪魔になることはない。そのため、キャリア２３を適宜外すことにより、各種操作を首尾よく行うことができる。
【００７３】
（駆動部）
駆動部は、アーム部を略水平方向に駆動するものであり、本実施形態では、モータ６２、ボールネジ６３、ガイドシャフト６４及びシャフトホルダ６５によって構成されている。
【００７４】
モータ６２は、ボールネジ６３を回転させる。モータ６２は、回転数を変化可能なものを使用してもよいし、回転数が固定のものをギアと組み合わせて使用してもよい。ボールネジ６３は、シャフトホルダ６５を貫通すると共に、シャフトホルダ６５に螺合している。ガイドシャフト６４は、シャフトホルダ６５を貫通しており、シャフトホルダ６５は、ガイドシャフト６４に沿って移動可能に構成されている。そして、モータ６２がボールネジ６３を回転させることにより、シャフトホルダ６５が図中Ｘ方向（略水平方向）に駆動される。シャフトホルダ６５は、アーム部（ガイドポール６６）に連結しており、これによって、駆動部は、アーム部を、図中Ｘ方向（略水平方向）に駆動することができる。そして、アーム部は、転写膜１を保持しているため、転写膜１は、図中Ｘ方向（略水平方向）に移動する。
【００７５】
但し、本発明はこれに限定されず、アーム部を略水平方向に駆動することができるものであれば、その他の駆動機構（例えば、ベルト、ギア等）によって駆動部を構成するようにしてもよい。
【００７６】
また、駆動部は、陽極バッファー槽３０下に設けられている。これによって、陽極バッファー槽８６から飛散した緩衝液が駆動部の耐用性を低下させるおそれ、及び、駆動部が生体分子分析装置１００に対する各種操作の妨げになるおそれを防止することができる。
【００７７】
（制御部）
制御部６８は、生体分子分析装置１００の各種制御（アーム部の位置の制御、陽極３２及び陰極４１に印加する電流・電圧の制御等）を行う制御盤である。制御部６８は、ユーザからの入力を受けるためのボタン、スイッチや、動作状態をユーザに通知するためのランプ、表示部等を備えていてもよい。
【００７８】
（サンプルの電気泳動及び転写）
次に、生体分子分析装置１００におけるサンプルの電気泳動及び転写の流れについて、図４を参照して説明する。図４は、本実施形態におけるサンプルの電気泳動及び転写を説明するための断面図である。なお、図４では、説明の便のため、陽極バッファー槽３０、陰極バッファー槽４０等は省略している。
【００７９】
図４に示すように、サンプルの電気泳動及び転写時において、転写膜１は、クランプ２０・２１（アジャスター、アーム部）によって、第一開口５０ａに対向する位置に配置された状態で保持される。このとき、陽極バッファー槽３０の底部に設けられたガイド３３・３４によって、転写膜１は、転写膜１の裏面（分離部５０とは反対側）から支持されている。
【００８０】
ガイド３３・３４は、陽極バッファー槽３０の底部に、転写膜１が移動する移動経路中において転写膜を支持するように設けられている。ガイド３３・３４は、その長手方向が、転写膜１の移動方向（Ｘ方向）に直交しており、第一開口５０ａの長手方向と平行になっている。
【００８１】
そして、分離部５０（の第一開口５０ａ側）が、転写膜１の表面（分離部５０側）に当接することにより、転写膜１は、分離部５０とは反対側が凸になるように折り曲げられている。このように、ガイド３３・３４によって転写膜１が支持され、分離部５０がそれを押さえて、下に（分離部５０とは反対側に）凸になるように折り曲げられる。これによって、転写膜１に張力が掛かり、転写膜１を第一開口５０ａに密着させることができる。これにより分離ゲル５２から転写膜１への転写をより好適に行うことができる。
【００８２】
特に、ガイド３３・３４が、陽極バッファー槽３０の底部において第一開口５０ａに対向する位置を対になって挟む位置に夫々形成されていることにより、分離部５０の両側に配置されたガイド３３・３４によって転写膜１が支持され、分離部５０がそれを押さえて、下に（分離部とは反対側に）凸になるように折り曲げられる。これによって、転写膜１により均一に張力が掛かり、転写膜１を第一開口５０ａにより均一に密着させることができる。これにより分離ゲル５２から転写膜１への転写をより好適に行うことができる。
【００８３】
より詳細には、分離ゲル５２から転写膜１へサンプルを転写する際の転写膜１の張力は、例えば、１Ｎ以上、１２Ｎ以下の範囲内の張力であることが好ましく、６Ｎ程度であることが最も好ましい。転写膜に加えられる張力が、以上の範囲であれば、分離ゲル５２から転写膜１へサンプルを感度よく転写することができると共に、過度な張力によって転写膜１が損傷することを防止することができる。
【００８４】
転写膜１の張力を上記範囲にすることは、例えば、転写膜１におけるガイド３３・３４に接する位置から第一開口５０ａに接する位置までの傾斜角θを、水平面に対して下方向に好ましくは１°以上６０°以下、より好ましくは１０°程度とすることにより、好適に実現することができる。転写膜１の張力は、上記傾斜角によって規定されるため、当該傾斜角を上述した範囲内とすることにより、転写膜１の張力を上述した範囲にすることができる。
【００８５】
なお、上述したように、クランプフレーム２２は、転写膜１を移動方向側方から挟む位置に配置されているため、ガイド３３・３４が、転写膜１をその裏面から支持することを妨げない。
【００８６】
そして、分離部５０の第二開口５０ｂから、サンプルを分離ゲル５２に導入する。サンプルには、分析対象となる生体分子の他、電気泳動の進行状態を確認するための可視分子量マーカーを加えることが好ましい。
【００８７】
以上の状態で、サンプルの電気泳動による分離を行う。制御部６８は、モータ６２を制御して、転写膜１の位置をスタート位置に設定し、陽極３２と陰極４１との間に電流を流し、電気泳動を開始する。陽極３２と陰極４１との間に流す電流値としては、特に限定されないが、５０ｍＡ以下であることが好ましく、２０ｍＡ以上、３０ｍＡ以下であることがより好ましい。なお、電流値が一定になるように制御してもよいし、電圧が一定になるように制御してもよいし、その他の態様で電流・電圧を制御してもよい。
【００８８】
転写膜１は、分離部５０における電気泳動の進行に合わせて、駆動部によるアーム部（アジャスター）の駆動によりＸ方向（略水平方向）に向かって徐々に移動される。Ｘ方向は、第一開口５０ａの長手方向と直交する方向である。転写膜１の移動速度は、特に限定されないが、例えば、６０〜１２０分間に、５〜１０ｃｍ移動するペースとすることができる。
【００８９】
そして、第一開口５０ａから、電気泳動によって排出されるサンプル（分離ゲル５２内で分離されたもの）が、転写膜１における排出されるタイミングに従った位置（排出されたタイミングにおいて第一開口５０ａに対向していた位置）に吸着される。これにより、転写膜１に分離されたサンプルが転写される。
【００９０】
転写後、転写膜１を回収し、染色又は免疫反応（ウェスタンブロット法におけるブロッキング及び抗原抗体反応）などに供することができる。その後、蛍光検出器などによって、転写膜１に転写された成分の分離パターンが検出される。このような蛍光検出器は、生体分子分析装置１００に組み込まれていてもよく、これによって電気泳動、転写、及び検出の全工程を自動化することができる。
【００９１】
以上のように、分離部５０が略垂直に起立する構成とすることで、分離部５０が陽極バッファー槽３０及び陰極バッファー槽４０の少なくとも一方の緩衝液に浸漬され、分離ゲル５２を水冷することができる。
【００９２】
そして、生体分子分析装置１００をこのように構成した場合には、（ｉ）転写膜１を陽極バッファー槽３０内において移動させる必要があり、（ｉｉ）従来技術のように、駆動部を、転写膜１の上流に配置しようとした場合には、陽極バッファー槽３０から飛散した緩衝液が当該駆動部の耐用性を低下させるおそれ、及び、当該駆動部が生体分子分析装置１００に対する各種操作の妨げになるおそれがあるが、（ｉｉｉ）本実施形態では、駆動部を陽極バッファー槽３０下に設け、かつ、アーム部の形状を、陽極バッファー槽３０の側壁の外側を通り、当該側壁の上端を回り込んで、当該側壁の内側につながっている形状とすることによって、緩衝液による駆動部の耐用性の低下及び駆動部による各種操作の妨害を避けつつ、転写膜１を陽極バッファー槽３０内において首尾よく移動させることができる。これにより、好適な転写膜搬送機構を備えた垂直型の排出転写方式の電気泳動−転写装置を提供することができる。
【００９３】
〔実施形態２〕
本発明の他の実施形態について、図５〜８に基づいて説明すれば、以下のとおりである。なお、説明の便宜上、前記実施形態にて説明した部材と同じ機能を有する部材については、同じ符号を付記し、その説明を省略する。
【００９４】
生体分子分析装置１００において、陽極バッファー槽３０、陰極バッファー槽４０及び分離部５０は、生体分子分析装置１００から着脱可能になっていてもよい。これにより、陽極バッファー槽３０、陰極バッファー槽４０及び分離部５０を取り外して洗浄することができるため、駆動部に洗浄液等を付着させることなく、容易に第一緩衝液槽を洗浄することができる。
【００９５】
図５は、生体分子分析装置１００から分離部５０を取り外した様子を示す斜視図である。分離部５０は、ロック４２によって陰極バッファー槽４０に固定されているため、ロック４２を解除することにより、容易に取り外すことができる。なお、分離部５０は、陰極バッファー槽４０に着脱可能に取り付けられていればよく、その方式はロック４２を使用する方式に限定されない。
【００９６】
図６は、生体分子分析装置１００からさらに陰極バッファー槽４０を取り外した様子を示す斜視図である。陰極バッファー槽４０は、特に限定されないが、例えば、ネジ、ロック等によって、陽極バッファー槽３０に着脱可能に固定されていればよい。
【００９７】
図７は、生体分子分析装置１００からさらにキャリア２３を取り外した様子を示す斜視図である。キャリア２３は、ガイドポール６６及びクランプ２０に夫々嵌合することによって、ガイドポール６６及びクランプ２０に結合しているため、容易に取り外すことができる。なお、キャリア２３は、少なくとも駆動部から着脱可能になっていればよく、例えば、ガイドポール６６がシャフトホルダ６５から分離可能になっていてもよい。
【００９８】
図８は、生体分子分析装置１００からさらに陽極バッファー槽３０を取り外した様子を示す斜視図である。上述したように、本実施形態では、アーム部における陽極バッファー槽３０の側壁の上端を回り込む部位であるキャリア２３を、駆動部から分離することができるため、陽極バッファー槽３０を容易に取り外すことができる。陽極バッファー槽３０は、特に限定されないが、例えば、嵌合することによって、テーブル３１に着脱可能に固定されていればよい。
【００９９】
〔実施形態３〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。
【０１００】
図９は、本実施形態に係る生体分子分析装置１００の概略構成を示す斜視図である。図９に示すように、本実施形態では、陽極バッファー槽３０、陰極バッファー槽４０及び分離部５０は、例えば、透明な樹脂、ガラス等を用いて、その全体または部分が透明になるように構成されている。また、上述した動作時に全体を覆う蓋についても、透明になるように構成されている。なお、好ましくは、さらにアーム部（クランプ２０・２１、クランプフレーム２２、キャリア２３及びガイドポール６６）も、その全体または部分が透明になるように構成されていてもよい。これにより、装置の動作中において、分離ゲル５２及び転写膜１の様子を観察することができる。これにより、例えば、可視マーカーの移動を肉眼により確認することができる。
【０１０１】
〔実施形態４〕
本発明の他の実施形態について、図１０に基づいて説明すれば、以下のとおりである。なお、説明の便宜上、前記実施形態にて説明した部材と同じ機能を有する部材については、同じ符号を付記し、その説明を省略する。本実施形態は、実施形態１とアジャスターの構成が異なっており、その他の構成について、実施形態１と同様である。以下、アジャスターの構成の違いについて説明する。
【０１０２】
図１０の（ａ）は、実施形態１におけるアジャスターの構成を示す断面図であり、（ｂ）は、本実施形態におけるアジャスターの構成を示す断面図である。両アジャスターは、転写膜１の移動方向前方の端部（第一端部）を固定するクランプ（第一固定部）２０、転写膜１の移動方向後方の端部（第二端部）を固定するクランプ（第二固定部）２１、および、クランプ２０とクランプ２１とを連結するクランプフレーム（連結部）２２とを備えている。
【０１０３】
ここで、本実施形態に係るアジャスターでは、図１０の（ｂ）に示すように、クランプフレーム２２におけるクランプ２１側の部分、直径が細い挿通部２２ａになっており、挿通部２２ａがクランプ２１に挿通されている。これにより、クランプ２１は、クランプフレーム２２に沿ってスライド可能に構成されている。さらに、クランプフレーム２２と、クランプ２１とに挟まれる位置に弾性体２２ｂが設けられており、弾性体２２ｂの弾性力によって、クランプフレーム２２に接続されたクランプ２０と、クランプ２１とが互いに背向する方向に付勢されている。ここで、例えば、クランプ２０とクランプ２１とを、上記弾性力に逆らって近づけた状態で、転写膜１の両端をクランプ２０および２１に夫々固定し、クランプ２０とクランプ２１とを近づけている状態から解放すれば、転写膜１の両端が互いに背向する方向に引っ張られ、転写膜１に一定の張力を付与し、張った状態にすることができる。転写膜１が緩んだ状態であると、転写膜１を移動させたときに、転写膜１と第一開口５０ａとの隙間が大きくなって、転写結果がぼやける場合があるが、上記構成によれば、転写膜１を張った状態にすることができるため、良好な転写結果を得ることができる。
【０１０４】
特に、図４に示すように、ガイド３３・３４によって転写膜１が支持され、分離部５０がそれを押さえて、下に（分離部５０とは反対側に）凸になるように折り曲げられる状態において、転写膜１が弾性体２２ｂによって張った状態に維持されていることにより、転写膜１は、折り曲げられていない状態に戻ろうとして、第一開口５０ａに押しつけられることになる。これにより、転写膜１を第一開口５０ａに離れないように押し付けて、良好な転写結果を得ることができる。
【０１０５】
なお、弾性体２２ｂは、その弾性力によってクランプ２０・２１を互いに背向する方向に付勢するものであれば、その材質、配置等は特に限定されないが、電気分解を起こさない材質で構成されているか、電気分解を起こさない材質で被覆されている事が好ましい。例えば、弾性体２２ｂは、材質は電気分解を起こさない樹脂、または、樹脂で被覆した金属によって構成されたバネであり得る。弾性体２２ｂは、また、スポンジ、ゴム等の弾性体であってもよい。
【０１０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０７】
本発明は、生体分子等の分析機器の製造分野及び生体分子等の分析分野において利用可能である。
【符号の説明】
【０１０８】
１      転写膜
２０    クランプ（アーム部、第一固定部）
２１    クランプ（アーム部、第二固定部）
２２    クランプフレーム（アーム部、連結部）
２２ｂ    弾性体
２３    キャリア（アーム部、側壁の上端を回り込む部位、第二部位）
３０    陽極バッファー槽（第一緩衝液槽）
３１    テーブル
３２    陽極（第１電極）
３４・３５    ガイド（支持部材）
４０    陰極バッファー槽（第二緩衝液槽）
４１    陰極（第２電極）
４２    ロック
５０    分離部
５０ａ    第一開口
５０ｂ    第二開口
５１・５３    絶縁板
５２    分離ゲル（分離媒体）
６２    モータ（駆動部）
６３    ボールネジ（駆動部）
６４    ガイドシャフト（駆動部）
６５    シャフトホルダ（駆動部）
６６    ガイドポール（アーム部、第一部位）
６８    制御部
１００  生体分子分析装置
【図１】
0005952379.tif 000002
【図２】
0005952379.tif 000003
【図３】
0005952379.tif 000004
【図４】
0005952379.tif 000005
【図５】
0005952379.tif 000006
【図６】
0005952379.tif 000007
【図７】
0005952379.tif 000008
【図８】
0005952379.tif 000009
【図９】
0005952379.tif 000010
【図１０】
0005952379.tif 000011